【手続補正書】
【提出日】平成26年2月28日(2014.2.28)
【手続補正１】
【補正対象書類名】特許請求の範囲
【補正対象項目名】請求項１
【補正方法】変更
【補正の内容】
【請求項１】
図柄を変動させて行う図柄変動ゲームを表示する表示手段を備える遊技機において、
図柄変動ゲームの演出内容及び演出時間を特定する演出パターンを決定する演出パターン決定手段と、
前記演出パターン決定手段により決定された演出パターンに基づき、図柄変動ゲームを実行させる演出制御手段と、を備え、
前記演出パターンには、予め演出内容及び演出時間が決められた第１の演出パターンと、前記第１の演出パターンよりも演出時間が短い第２の演出パターンが少なくとも含まれ、
前記演出制御手段は、
前記第１の演出パターンが決定された場合、前記第１の演出パターンに基づき、前記第１の演出パターンにより特定される演出時間内で、第１の演出パターンにより特定される演出内容の図柄変動ゲームを通常態様で実行させる一方、
前記第２の演出パターンが決定された場合、前記第２の演出パターンに基づき、前記第２の演出パターンにより特定される演出時間内で、第１の演出パターンにより特定される演出内容の図柄変動ゲームをゲーム開始時から予め決められた早送り開始時点まで通常態様で実行させた後、その後の演出内容を予め決められた早送り終了時点まで早送りで実行させ、その後、図柄変動ゲームが終了するまで通常態様の演出内容で図柄変動ゲームを実行させるように構成されていることを特徴とする遊技機。
【手続補正２】
【補正対象書類名】特許請求の範囲
【補正対象項目名】請求項２
【補正方法】変更
【補正の内容】
【請求項２】
前記第１の演出パターンにより特定される演出内容には、複数段階にて演出内容が発展するリーチ演出が含まれており、
早送り開始時点は、リーチ開始時点であることを特徴とする請求項１に記載の遊技機。
【手続補正３】
【補正対象書類名】特許請求の範囲
【補正対象項目名】請求項３
【補正方法】変更
【補正の内容】
【請求項３】
前記第１の演出パターンにより特定される演出内容には、複数段階にて演出内容が発展するリーチ演出が含まれており、
早送り開始時点は、リーチ演出がいずれかの段階の演出内容へ発展することを煽る時点であることを特徴とする請求項１に記載の遊技機。
【手続補正４】
【補正対象書類名】特許請求の範囲
【補正対象項目名】請求項４
【補正方法】変更
【補正の内容】
【請求項４】
前記第１の演出パターンにより特定される演出内容には、複数段階にて演出内容が発展するリーチ演出が含まれており、
前記演出制御手段は、前記第２の演出パターンが決定された場合、前記第２の演出パターンに基づき、前記第２の演出パターンにより特定される演出時間内で、第１の演出パターンにより特定される演出内容の図柄変動ゲームをゲーム開始時から前記早送り開始時点まで通常態様で実行させた後、リーチ演出がいずれかの段階の演出内容に発展する時点まで演出内容を早送りで実行させ、その後、図柄変動ゲーム終了まで、通常態様を実行させることを特徴とする請求項１〜請求項３のうちいずれか一項に記載の遊技機。
【手続補正５】
【補正対象書類名】明細書
【補正対象項目名】０００７
【補正方法】変更
【補正の内容】
【０００７】
上記問題点を解決するために、請求項１に記載の発明は、図柄を変動させて行う図柄変動ゲームを表示する表示手段を備える遊技機において、図柄変動ゲームの演出内容及び演出時間を特定する演出パターンを決定する演出パターン決定手段と、前記演出パターン決定手段により決定された演出パターンに基づき、図柄変動ゲームを実行させる演出制御手段と、を備え、前記演出パターンには、予め演出内容及び演出時間が決められた第１の演出パターンと、前記第１の演出パターンよりも演出時間が短い第２の演出パターンが少なくとも含まれ、前記演出制御手段は、前記第１の演出パターンが決定された場合、前記第１の演出パターンに基づき、前記第１の演出パターンにより特定される演出時間内で、第１の演出パターンにより特定される演出内容の図柄変動ゲームを通常態様で実行させる一方、前記第２の演出パターンが決定された場合、前記第２の演出パターンに基づき、前記第２の演出パターンにより特定される演出時間内で、第１の演出パターンにより特定される演出内容の図柄変動ゲームをゲーム開始時から予め決められた早送り開始時点まで通常態様で実行させた後、その後の演出内容を予め決められた早送り終了時点まで早送りで実行させ、その後、図柄変動ゲームが終了するまで通常態様の演出内容で図柄変動ゲームを実行させるように構成されていることを要旨とする。
【手続補正６】
【補正対象書類名】明細書
【補正対象項目名】０００８
【補正方法】変更
【補正の内容】
【０００８】
請求項２に記載の発明は、請求項１に記載の遊技機において、前記第１の演出パターンにより特定される演出内容には、複数段階にて演出内容が発展するリーチ演出が含まれており、早送り開始時点は、リーチ開始時点であることを要旨とする。
【手続補正７】
【補正対象書類名】明細書
【補正対象項目名】０００９
【補正方法】変更
【補正の内容】
【０００９】
請求項３に記載の発明は、請求項１に記載の遊技機において、前記第１の演出パターンにより特定される演出内容には、複数段階にて演出内容が発展するリーチ演出が含まれており、早送り開始時点は、リーチ演出がいずれかの段階の演出内容へ発展することを煽る時点であることを要旨とする。
【手続補正８】
【補正対象書類名】明細書
【補正対象項目名】００１０
【補正方法】変更
【補正の内容】
【００１０】
請求項４に記載の発明は、請求項１〜請求項３のうちいずれか一項に記載の遊技機において、前記第１の演出パターンにより特定される演出内容には、複数段階にて演出内容が発展するリーチ演出が含まれており、前記演出制御手段は、前記第２の演出パターンが決定された場合、前記第２の演出パターンに基づき、前記第２の演出パターンにより特定される演出時間内で、第１の演出パターンにより特定される演出内容の図柄変動ゲームをゲーム開始時から前記早送り開始時点まで通常態様で実行させた後、リーチ演出がいずれかの段階の演出内容に発展する時点まで演出内容を早送りで実行させ、その後、図柄変動ゲーム終了まで、通常態様を実行させることを要旨とする。
【手続補正９】
【補正対象書類名】明細書
【補正対象項目名】０１０８
【補正方法】変更
【補正の内容】
【０１０８】
次に、上記実施形態及び別例から把握できる技術的思想を以下に追記する。
（イ）前記演出制御手段は、前記第２の演出パターンが決定された場合、前記第２の演出パターンに基づき、前記第２の演出パターンにより特定される演出時間内で、第１の演出パターンにより特定される演出内容の図柄変動ゲームを開始時から予め決められた早送り開始時点まで通常態様で実行させた後、その後の演出内容を早送りで実行させるように構成されている。
【手続補正１０】
【補正対象書類名】明細書
【補正対象項目名】０１０９
【補正方法】変更
【補正の内容】
【０１０９】
（ロ）前記第２の演出パターンは、演出時間が異なる複数種類のパターンが用意されており、前記演出制御手段は、前記第２の演出パターンが決定された場合、前記第２の演出パターンに基づき、前記第２の演出パターンにより特定される演出時間内で、第１の演出パターンにより特定される演出内容の図柄変動ゲームをゲーム開始時から、当該第２の演出パターンにより特定される早送り開始時点まで通常態様で実行させた後、その後の演出内容を早送りで実行させるように構成されており、早送り開始時点は、決定された第２の演出パターンの種類毎に異なる。
【手続補正１１】
【補正対象書類名】明細書
【補正対象項目名】０１１０
【補正方法】変更
【補正の内容】
【０１１０】
（ハ）前記第２の演出パターンは、演出時間が異なる複数種類のパターンが用意されており、前記演出制御手段は、前記第２の演出パターンが決定された場合、前記第２の演出パターンに基づき、前記第２の演出パターンにより特定される演出時間内で、第１の演出パターンにより特定される演出内容の図柄変動ゲームを開始時から、当該第２の演出パターンにより特定される早送り開始時点まで通常態様で実行させた後、その後の演出内容を当該第２の演出パターンにより特定される早送り終了時点まで早送りで実行させ、その後、図柄変動ゲームが終了するまで通常態様の演出内容で図柄変動ゲームを実行させるように構成されており、早送り開始時点及び早送り終了時点は、決定された第２の演出パターンの種類毎にそれぞれ異なる。